(57)【要約】【課題】  従来バックアップ取得したバックアップテープを交換する際、テープ障害アラート通知や管理者側が交換の認識を持たなければテープ交換が行なわれない。【解決手段】  テープにバックアップを取得する際、累積取得回数や累積取得時間を記録する機能を加えてテープの使用状況を監視し、ユーザ側で設定した値に達した場合に、管理者側に対して交換の通知を行なう。その際、管理者に対する通知を使用状況によって変化させ、さらにあといつまで使用できるかといったテープの予測寿命の情報を付加させる。また、事前の定義で通知があがったのをトリガーにしてメール通知や書込み禁止等の動作を行なえるようにする。これにより、テープ障害の発生を未然に防ぐことができ、詳細なテープの管理が可能になる。【選択図】  図１
2006338321.tif 000002
【特許請求の範囲】
【請求項１】
バックアップを取得したテープを交換する際に、テープの使用実績をあらかじめ記録し
ておき、事前に管理者側で定義していた情報と一致した場合、管理者に交換を促す通知を
行ない、テープ障害を事前に回避するテープの交換方式。
【請求項２】
請求項１において、交換通知を行なう際、テープの使用実績に応じて通知のレベルを変
化させて、且つテープの残りの寿命を予測した情報を付加するテープの交換方式。
【請求項３】
請求項１において、交換通知が行なわれたのをトリガーにして、メールの通知やテープ
書込み禁止といったイベントを付加するテープの交換方式。
【発明の詳細な説明】
【技術分野】
【０００１】
本発明は、磨耗や残量減少によって交換を行う必要のあるバックアップテープに関し、
残量・補給の警告通知技術に関するものである。
【背景技術】
【０００２】
DISKのデータの信頼性を高めるために、外部媒体テープにデータを退避することはシス
テム運用する上で必須になっているが、その媒体テープを使用する上で、消耗品であるこ
とから磨耗・残量減少は避けられない。
【０００３】
従来、ハード消耗品の交換時期を知らせてよって交換漏れを防ぐというのは、これまで
に多くの人によって考案されている。特に、特開２００４−８６０６４号では、ユーザの
使用状況に応じて寿命や残量減少によって交換を行う必要のあるテーブルユニットについ
て、交換・補給を促す通知を行うことが記載されている。
【０００４】
【特許文献１】特開２００４−８６０６４号公報
【発明の開示】
【発明が解決しようとする課題】
【０００５】
バックアップ取得したバックアップテープを交換する際、テープ障害アラート通知や管
理側が交換の意識を持たなければテープの交換が行なわれない。
【０００６】
そこで、バックアップテープの使用状況に応じて、テープの交換を管理者側に対して促
す仕組みを提供する。
【課題を解決するための手段】
【０００７】
上記目的を達成する為、本発明ではテープにバックアップを取得する際、累積取得回数
や累積取得時間を記録する機能を加えてテープの使用状況を監視し、ユーザ側で設定した
値に達した場合に、管理者側に対して交換の通知を行なう。その際、管理者に対する通知
を使用状況によって変化させ、さらにあといつまで使用できるかといったテープの予測寿
命の情報を付加させる。また、事前の定義で通知があがったのをトリガーにしてメール通
知や書込み禁止等の動作が行えるようにする。
【発明の効果】
【０００８】
本発明によれば、管理者側に対して自律的に交換を促す方式により、テープ障害発生の
未然に検知、個々のテープ使用状況の詳細な管理、メッセージ通知が発生した後における
任意のイベントの実行が可能となった。また、管理者側での交換タイミングを忘れる機会
が減り、一定の交換タイミングを確保することができる。
【発明を実施するための最良の形態】
【０００９】
本発明の形態について以下図面を以って説明する。
【００１０】
図１は本発明の一実施例を示すシステム構成図である。図１において、20はバックアッ
プ機能を有するサーバコンピュータである。30はバックアップサーバ20に接続されている
外部装置DISKであり、データが格納されている。40は、バックアップサーバ20に接続され
ているバックアップ専用テープで、外部装置DISK30内に格納されているデータが40に書き
込まれている。10はバックアップサーバ20接続されているクライアントPCで、このクライ
ンとPC10を用いて管理者がテープ使用状況の稼動確認を行なう。
【００１１】
今回の発明は以下の処理手段によって構成されおり、図２以降において各処理を図示す
る。
【００１２】
処理A  外部DISKからテープにたいしてバックアップを取得する処理
処理B  テープに外部DISKからのバックアップを取得した際に、テープの使用状況を記
録したファイルを出力する処理
処理C  管理者が交換するタイミング、通知後のイベントをあらかじめ定義しておく処
理
処理D  処理Cでの定義をもとにテープの使用状況を常時監視し、定義の該当時に管理者
にたいして、交換・テープの寿命予測のメッセージ通知を行なう処理
処理E  処理Dのメッセージ通知をトリガーにして、テープ書込み禁止やメール通知等ユー
ザ側で指定したイベントを実行する処理
図２は処理Aと処理Bのフローチャートである。バックアップの取得201が行なわれると
、外部ディスク装置30に格納されているデータがバックアップサーバ20を経由してバック
アップテープ40に書込みが行なわれる。バックアップテープ40に書込みが行なわれたあと
、そのときのバックアップテープ40の累積書込み時間、累積使用回数、テープ残り残量を
記録した使用状況ファイル202を出力する。
【００１３】
図５は使用状況ファイル202のデータ形式を示す。使用状況を示す情報として、累積書
込み時間2001、累積使用回数2002、テープ残り残量2003を保持している。
【００１４】
図３は処理Cのフローチャートである。管理者がクライアントPC10から交換のタイミン
グ・通知後のイベント定義101を実行すると、バックアップサーバ20に定義情報の登録102
を行なう。交換のタイミング定義とは、使用状況ファイル202の値を元にして閾値を設定
することをいう。
【００１５】
図４は処理Dと処理Eのフローチャートである。バックアップサーバ20上で常時監視203
が実行される。使用状況ファイル202が交換タイミング・通知後のイベント定義101の閾値
を超えた場合、メッセージ通知の実行204が行われ、クライアントPC10に通知が表示され
る。メッセージ通知の実行204と同時に、管理者に対して電子メールで通知する処理205、
バックアップテープ40に対して、以降の書込みを禁止にする処理206が行われる。
【００１６】
以上、本発明の形態について図面をもって説明したが、LTOやDLTなどあらゆるバックア
ップテープについて、同様の手順で実施することができる。また、通知するメッセージに
ついては、使用状況に応じて警告度を変えて通知することができ、且つ使用状況ファイル
202の情報をもとに、通知時点でのあといつまでテープが利用できるかというテープ寿命
予測情報を付加することができる。メッセージ通知と同時に行なわれる電子メールで通知
する処理205、テープを書き込み禁止にする処理206以外にも、管理者側で任意のイベント
を設定することも可能である。
【００１７】
また、バックアップテープ以外にも、日常生活で使用するような記録媒体メディア、ビ
デオテープ、CD-R、DVD-Rといった場合でも本発明の仕組みを適用することで同様の効果
を得ることが可能である。
【産業上の利用可能性】
【００１８】
本発明を利用することにより、記録媒体を使用してデータを記録する際に、容易に且つ
確実に交換のタイミングを把握することができ、媒体障害を未然に防ぐことが可能になる
。
【図面の簡単な説明】
【００１９】
【図１】本発明のシステム構成図。
【図２】処理Aと処理Bのフローチャート図。
【図３】処理Cのフローチャート図。
【図４】処理Dと処理Eのフローチャート図。
【図５】使用状況ファイルのデータ形式図。
【符号の説明】
【００２０】
１０…クライアントPC、２０…バックアップ機能を有するサーバ、３０…外部DISK、４
０…バックアップテープ。
【図１】
2006338321.tif 000003
【図２】
2006338321.tif 000004
【図３】
2006338321.tif 000005
【図４】
2006338321.tif 000006
【図５】
2006338321.tif 000007